(57)【要約】【課題】レバー支持用の複数のボス部が対向する一対の側壁のそれぞれの外表面に突設されるコネクタ本体に対する嵌合操作レバーの組み付けを容易にすることができるレバー式コネクタを提供すること。【解決手段】コネクタ本体１０の対向する一対の側壁の外表面１２Ｆに、レバー支持用の複数のボス部１４，１５が突設されるレバー式コネクタ１において、それぞれのボス部１４，１５に、嵌合操作レバー２０におけるレバー本体２１の外縁部２１０をボス部１４，１５上に乗り上げさせるテーパ面１４１，１５１を備える。【選択図】図２
2013062079.tif 000002
【特許請求の範囲】
【請求項１】
レバー支持用の複数のボス部が対向する一対の側壁のそれぞれの外表面に突設され、相手のコネクタに嵌合接続されるコネクタ本体と、
前記コネクタ本体の一側から前記一対の側壁の外表面に被せられて前記複数のボス部との係合により前記側壁に回動可能に結合される一対のレバー本体と、該一対のレバー本体相互の一端側を連結して前記一対のレバー本体を回動操作する際の操作部となる本体連結部と、を備えて回動操作することによって前記相手のコネクタと前記コネクタ本体とを嵌合させる嵌合操作レバーと、
を備えるレバー式コネクタであって、
前記複数のボス部のそれぞれに、前記嵌合操作レバーの前記コネクタ本体への組み付け時に前記レバー本体の外縁部を前記ボス部に乗り上げさせて、それぞれのボス部に対応する前記レバー本体上のボス嵌合穴を対応する前記ボス部に嵌合させ易くするテーパ面を備えたことを特徴とするレバー式コネクタ。
【請求項２】
前記コネクタ本体は、前記一対のレバー本体を前記コネクタ本体の一側から前記一対の側壁上に送り込むために、前記レバー本体の自由端側を回動可能に係止する引っ掛け受け部を備え、
前記引っ掛け受け部を支点とした前記嵌合操作レバーの回動操作によって前記テーパ面に当接する前記レバー本体の外縁部には、それぞれのテーパ面上への乗り上げを容易にする傾斜面を備えたことを特徴とする請求項１に記載のレバー式コネクタ。
【請求項３】
前記レバー本体の外縁部上の複数箇所に形成される前記傾斜面は、タイミングをずらして順に対応するボス部に乗り上げるように、前記レバー本体の外縁部の輪郭を設定したことを特徴とする請求項１又は２に記載のレバー式コネクタ。
【発明の詳細な説明】
【技術分野】
【０００１】
本発明は、レバー式コネクタに関する。
【背景技術】
【０００２】
図１０は、下記特許文献１に開示されたレバー式コネクタを示したものである。
このレバー式コネクタ１００は、相手のコネクタ（不図示）に嵌合接続されるコネクタ本体１１０と、該コネクタ本体１１０に回動可能に組み付けられる嵌合操作レバー１２０と、を備える。
【０００３】
コネクタ本体１１０は、相手のコネクタに嵌合接続されるハウジングで、中央部に、端子金具を収容する端子収容孔１１１を有している。また、コネクタ本体１１０は、対向する一対の側壁１１３の外表面に、レバー支持用のボス部１１４が備えられている。ボス部１１４は、円柱状である。
【０００４】
また、コネクタ本体１１０は、一側の端壁１１５に、引っ掛け受け部１１６を有している。引っ掛け受け部１１６は、端壁１１５を貫通するスリット状の穴で、嵌合操作レバー１２０の組み付け時に利用される。
【０００５】
嵌合操作レバー１２０は、対向配置される一対のレバー本体１２１と、これらの一対のレバー本体１２１相互の一端側を連結する本体連結部１２２と、を備える。
【０００６】
一対のレバー本体１２１は、コネクタ本体１１０のボス部１１４に嵌合させるボス嵌合穴１２１ａと、コネクタ本体１１０への組み付け時に引っ掛け受け部１１６に挿入される引っ掛け突起１２１ｂと、ボス誘導斜面１２１ｃと、を有している。
【０００７】
引っ掛け突起１２１ｂは、レバー本体１２１の自由端に突設されている。この引っ掛け突起１２１ｂは、嵌合操作レバー１２０をコネクタ本体１１０に組み付ける際に、引っ掛け受け部１１６に挿入される。引っ掛け突起１２１ｂが引っ掛け受け部１１６に挿入された状態では、嵌合操作レバー１２０は、引っ掛け受け部１１６の上縁部１１６ａを支点として回動可能になり、上縁部１１６ａを支点として下方（図１０の矢印Ｙ１方向）に回動操作することで、レバー本体１２１を側壁１１３上に送る（被せる）ことができる。
【０００８】
ボス誘導斜面１２１ｃは、レバー本体１２１の内面で、上述の上縁部１１６ａを支点とした回動操作時にボス部１１４に当接するレバー本体１２１の外縁部に形成されている。このボス誘導斜面１２１ｃは、レバー本体１２１の外縁部をボス部１１４に乗り上げ易くして、ボス部１１４とボス嵌合穴１２１ａとの嵌合を容易にする。
【先行技術文献】
【特許文献】
【０００９】
【特許文献１】特開平１１−２９７４０８号公報
【発明の概要】
【発明が解決しようとする課題】
【００１０】
ところが、特許文献１のレバー式コネクタ１００の場合、嵌合操作レバー１２０をコネクタ本体１１０に組み付ける際に、引っ掛け突起１２１ｂの引っ掛け受け部１１６に対する挿入長が浅い場合（即ち、コネクタ本体１１０とレバー本体１２１との初期の位置合わせが正規の突き合わせ位置からずれている場合）には、上縁部１１６ａを支点とした嵌合操作レバー１２０の回動操作時に、レバー本体１２１上のボス嵌合穴１２１ａの移動軌道がボス部１１４の位置からずれてしまい、ボス誘導斜面１２１ｃの位置がボス部１１４の位置から外れてしまう。その結果、レバー本体１２１の外縁部をボス部１１４に乗り上げさせることができず、嵌合操作レバー１２０の組付け性が悪いという問題を招く。
【００１１】
なお、従来のレバー式コネクタの中には、嵌合操作レバーを回動可能に軸支するボス部１１４とは別に、嵌合操作レバーの回動範囲を規制するためのボス部を、コネクタ本体１１０の側壁１１３上に装備する場合がある。この種のレバー式コネクタの場合、嵌合操作レバーの回動範囲を規制するためのボス部は、例えば、嵌合操作レバーのレバー本体に形成された円弧状に延設された溝に係合することで、嵌合操作レバーの回動範囲を規制する。このように、レバー支持用の複数のボス部がハウジング本体の対向する一対の側壁のそれぞれの外表面に突設される構成のレバー式コネクタでは、前述した組付け性の悪化という問題が、更に生じ易くなってしまう。
【００１２】
そこで、本発明の目的は、上記課題を解消することに係り、レバー支持用の複数のボス部が対向する一対の側壁のそれぞれの外表面に突設されるコネクタ本体に対する嵌合操作レバーの組み付けを容易にすることができるレバー式コネクタを提供することにある。
【課題を解決するための手段】
【００１３】
本発明の前述した目的は、下記の構成により達成される。
（１）レバー支持用の複数のボス部が対向する一対の側壁のそれぞれの外表面に突設され、相手のコネクタに嵌合接続されるコネクタ本体と、
前記コネクタ本体の一側から前記一対の側壁の外表面に被せられて前記複数のボス部との係合により前記側壁に回動可能に結合される一対のレバー本体と、該一対のレバー本体相互の一端側を連結して前記一対のレバー本体を回動操作する際の操作部となる本体連結部と、を備えて回動操作することによって前記相手のコネクタと前記コネクタ本体とを嵌合させる嵌合操作レバーと、
を備えるレバー式コネクタであって、
前記複数のボス部のそれぞれに、前記嵌合操作レバーの前記コネクタ本体への組み付け時に前記レバー本体の外縁部を前記ボス部に乗り上げさせて、それぞれのボス部に対応する前記レバー本体上のボス嵌合穴を対応する前記ボス部に嵌合させ易くするテーパ面を備えたことを特徴とするレバー式コネクタ。
【００１４】
（２）前記コネクタ本体は、前記一対のレバー本体を前記コネクタ本体の一側から前記一対の側壁上に送り込むために、前記レバー本体の自由端側を回動可能に係止する引っ掛け受け部を備え、
前記引っ掛け受け部を支点とした前記嵌合操作レバーの回動操作によって前記テーパ面に当接する前記レバー本体の外縁部には、それぞれのテーパ面上への乗り上げを容易にする傾斜面を備えたことを特徴とする上記（１）に記載のレバー式コネクタ。
【００１５】
（３）前記レバー本体の外縁部上の複数箇所に形成される前記傾斜面は、タイミングをずらして順に対応するボス部に乗り上げるように、前記レバー本体の外縁部の輪郭を設定したことを特徴とする上記（１）又は（２）に記載のレバー式コネクタ。
【００１６】
上記（１）の構成によれば、コネクタ本体に嵌合操作レバーを組み付ける際に、コネクタ本体とレバー本体との初期の位置合わせが正規の突き合わせ位置からずれている場合でも、レバー本体をコネクタ本体の一対の側壁上に押し込むと、コネクタ本体上の各ボス部に当接するレバー本体の外縁部は、各ボス部に備えられたテーパ面によって、確実に各ボス部に乗り上げさせることができる。
【００１７】
そして、レバー本体の外縁部が各ボス部に乗り上げている状態で、ずれを解消する方向に嵌合操作レバー２０を移動操作してコネクタ本体とレバー本体との初期の突き合わせ位置のずれを修正することで、レバー本体上のボス嵌合穴の移動軌道をボス部の位置に整合させることができ、コネクタ本体上の複数のボス部とレバー本体上の複数のボス嵌合穴との嵌合を確実に実現することができる。
【００１８】
従って、レバー支持用の複数のボス部が対向する一対の側壁のそれぞれの外表面に突設されるコネクタ本体に対する嵌合操作レバーの組み付けを容易にすることができる。
【００１９】
上記（２）の構成によれば、コネクタ本体の一対の側壁上に嵌合操作レバーを組み付ける作業工程で、嵌合操作レバーのレバー本体の外縁部が、コネクタ本体の一対の側壁上のボス部に乗り上げる際には、レバー本体の外縁部に形成された傾斜面とボス部に装備されたテーパ面とが衝突することになり、レバー本体の外縁部に前記傾斜面が装備されていない場合と比較すると、レバー本体の外縁部のボス部への乗り上げが更に容易になる。従って、コネクタ本体に対する嵌合操作レバーの組み付けを、更に容易にすることができる。
【００２０】
上記（３）の構成によれば、コネクタ本体の一対の側壁上に嵌合操作レバーを組み付ける作業工程で、嵌合操作レバーのレバー本体の外縁部上の複数箇所は、タイミングをずらしてそれぞれの対応するボス部に乗り上げるため、レバー本体の外縁部がボス部に乗り上げる際に必要となる組み付け操作力が急激に増加することを防止して、組み付け操作性を向上させることができる。
【発明の効果】
【００２１】
本発明によるレバー式コネクタによれば、コネクタ本体に嵌合操作レバーを組み付ける際に、コネクタ本体とレバー本体との初期の位置合わせが正規の突き合わせ位置からずれている場合でも、レバー本体をコネクタ本体の一対の側壁上に押し込むと、コネクタ本体上の各ボス部に当接するレバー本体の外縁部は、各ボス部に備えられたテーパ面によって、確実に各ボス部に乗り上げさせることができる。
【００２２】
そして、レバー本体の外縁部が各ボス部に乗り上げている状態で、コネクタ本体とレバー本体との初期の突き合わせ位置のずれを修正することで、レバー本体上のボス嵌合穴の移動軌道をボス部の位置に整合させることができ、コネクタ本体上の複数のボス部とレバー本体上の複数のボス嵌合穴との嵌合を確実に実現することができる。
【００２３】
従って、レバー支持用の複数のボス部が対向する一対の側壁のそれぞれの外表面に突設されるコネクタ本体に対する嵌合操作レバーの組み付けを容易にすることができる。
【図面の簡単な説明】
【００２４】
【図１】本発明に係るレバー式コネクタの一実施形態の分解斜視図である。
【図２】図１に示したコネクタ本体に嵌合操作レバーを組み付けるために、嵌合操作レバーの自由端側をコネクタ本体の引っ掛け受け部に係止させた状態の側面図である。
【図３】図２のＡ部の拡大図である。
【図４】図２のＢ−Ｂ断面図である。
【図５】嵌合操作レバーをコネクタ本体に結合させるために嵌合操作レバーの自由端側をコネクタ本体の引っ掛け受け部に係止させた状態の側面図である。
【図６】図５のＣ−Ｃ断面図である。
【図７】嵌合操作レバーの装着が完了したコネクタ本体に端子金具を装着する工程の説明図である。
【図８】コネクタ本体に装着された嵌合操作レバーが本係止位置に位置決めされた状態の側面図である。
【図９】コネクタ本体に装着された嵌合操作レバーが仮係止位置に位置決めされた状態の側面図である。
【図１０】従来のレバー式コネクタの分解斜視図である。
【発明を実施するための形態】
【００２５】
以下、本発明に係るレバー式コネクタの好適な実施形態について、図面を参照して詳細に説明する。
【００２６】
図１〜図９は本発明に係るレバー式コネクタの一実施形態の説明図で、図１は一実施形態のレバー式コネクタの分解斜視図、図２は図１に示したコネクタ本体に嵌合操作レバーを組み付けるために嵌合操作レバーの自由端側をコネクタ本体の引っ掛け受け部に係止させた状態の側面図、図３は図２のＡ部の拡大図、図４は図２のＢ−Ｂ断面図、図５は嵌合操作レバーをコネクタ本体に結合させるために嵌合操作レバーの自由端側をコネクタ本体の引っ掛け受け部に係止させた状態の側面図、図６は図５のＣ−Ｃ断面図、図７は嵌合操作レバーの装着が完了したコネクタ本体に端子金具を装着する工程の説明図、図８はコネクタ本体に装着された嵌合操作レバーが本係止位置に位置決めされた状態の側面図、図９はコネクタ本体に装着された嵌合操作レバーが仮係止位置に位置決めされた状態の側面図である。
【００２７】
この一実施形態のレバー式コネクタ１は、図１に示すように、不図示の相手のコネクタに嵌合接続されるコネクタ本体１０と、該コネクタ本体１０の後方からコネクタ本体１０に組み付けられる嵌合操作レバー２０と、を備える。
【００２８】
コネクタ本体１０は、図１に示すように、複数の端子収容孔１１ａを有した端子収容部１１と、端子収容部１１の上下に対向配置された一対の側壁１２ａ，１２ｂと、レバー支持用として一対の側壁１２ａ，１２ｂの外表面１２Ｆに突設された第１のボス部１４及び第２のボス部１５の２つのボス部１４，１５と、一対の側壁１２ａ，１２ｂの一端側を連結している端部壁１２ｃ寄りの位置に装備された引っ掛け受け部１６と、を備える。端子収容部１１ａは、図１に示すように、電線４１が圧着接続された端子金具４２を収容保持する端子収容孔である。
【００２９】
第１のボス部１４は、嵌合操作レバー２０を回動自在に支持する軸である。また、第２のボス部１５は、嵌合操作レバー２０に嵌合して、第１のボス部１４を回転中心とする嵌合操作レバー２０の回動範囲を規制する突起である。この第２のボス部１５は、一対の側壁１２ａ，１２ｂの外表面１２Ｆ上で、第１のボス部１４から所定の離間距離に配置されている。第２のボス部１５は、図１に示すように、第１のボス部１４と平行に一対の側壁１２ａ，１２ｂから突出した軸部１５ａと、この軸部１５ａの先端から径方向に突出した抜け止め片１５ｂと、を備えている。
【００３０】
本実施形態の場合、図３に示すように、第１のボス部１４及びレバーガイド突起１５のそれぞれに、テーパ面１４１，１５１が装備されている。テーパ面１４１は、第１のボス部１４の頂部に形成された傾斜面である。また、テーパ面１５１は、レバーガイド突起１５の抜け止め片１５ｂの頂部に形成された傾斜面である。
【００３１】
それぞれのボス部１４，１５に装備したテーパ面１４１，１５１は、後述する嵌合操作レバー２０のコネクタ本体１０への組み付け時にレバー本体バー本体２１の外縁部２１０をこれらのボス部１４，１５上に乗り上げさせて、それぞれのボス部１４，１５に対応するレバー本体２１上のボス嵌合穴２１ａ，２１ｂを対応するボス部１４，１５に嵌合させ易くする傾斜面である。
【００３２】
引っ掛け受け部１６は、後述する嵌合操作レバー２０における一対のレバー本体２１の自由端側の外面に係合する板状片である。レバー本体２１の自由端側の外面には、引っ掛け受け部１６に係合する引っ掛け部２５が突出形成されている。
【００３３】
引っ掛け受け部１６は、後述する一対のレバー本体２１をコネクタ本体１０の一側（後方側）から一対の側壁１２ａ，１２ｂ上に送り込むために、各レバー本体２１の自由端側を回動可能に係止する部位である。また、引っ掛け受け部１６は、図７に示すように、端子収容部１１の一端側に位置する端部壁１２ｃ寄りの位置に、一対配置されている。この引っ掛け受け部１６は、嵌合操作レバー２０の自由端（後述するレバー本体２１の自由端）の引っ掛け部２５を、図２に矢印Ｒ１で示す方向に、回動可能に支持する。
【００３４】
嵌合操作レバー２０は、図１に示すように、対向配置される一対のレバー本体２１と、これらの一対の一端側を連結した本体連結部２２と、を備えており、全体としてコ字状に形成されている。
【００３５】
レバー本体２１は、コネクタ本体１０の一対の側壁１２ａ，１２ｂに被せられる板状部材で、第１のボス部１４に回動可能に嵌合する第１のボス嵌合穴２１ａと、第２のボス部１５と嵌合する第２のボス嵌合穴２１ｂと、コネクタ本体１０の引っ掛け受け部１６に係合させる引っ掛け部２５と、を備えている。
【００３６】
このレバー本体２１は、コネクタ本体１０の後方から一対の側壁１２ａ，１２ｂの外表面１２Ｆに被せられて、第１のボス嵌合穴２１ａが第１のボス部１４に係合し、且つ、第２のボス嵌合穴２１ｂが第２のボス部１５に係合することで、一対の側壁１２ａ，１２ｂに対して、第１のボス部１４を回転中心として、所定の角度範囲で回動可能に結合される。
【００３７】
第２のボス嵌合穴２１ｂは、第１のボス嵌合穴２１ａを中心とする円弧状の溝部２１３により、第１のボス部１４を回動中心としたレバー本体２１の回動範囲を規制する。
本体連結部２２は、一対のレバー本体２１を回動操作する際の操作部となる部位である。
【００３８】
引っ掛け部２５は、レバー本体２１の自由端側に装備されている。引っ掛け部２５は、嵌合操作レバー２０をコネクタ本体１０に組み付ける際に、図２に示すように、コネクタ本体１０の引っ掛け受け部１６に引っ掛けることで、レバー本体２１の自由端を引っ掛け受け部１６に回動可能に結合する。引っ掛け部２５を引っ掛け受け部１６に引っ掛けることで、嵌合操作レバー２０の本体連結部２２を図２の矢印Ｒ１方向に回動させてレバー本体２１を一対の側壁１２ａ，１２ｂ上に送り込むことが可能になる。
【００３９】
嵌合操作レバー２０は、コネクタ本体１０の一対の側壁１２ａ，１２ｂに結合させた状態で所定の回動操作することによって、不図示の相手のコネクタとコネクタ本体１０とを嵌合させる。
【００４０】
本実施形態の場合、引っ掛け受け部１６を支点とした嵌合操作レバー２０の回動操作によって前述のテーパ面１４１，１５１に当接するレバー本体２１の外縁部２１０には、図１に示すように、それぞれのテーパ面１４１，１５１上への乗り上げを容易にする傾斜面２１１，２１２を備えている。
【００４１】
傾斜面２１１は、図４に示すように、第１のボス部１４のテーパ面１４１への乗り上げを容易にする傾斜面である。傾斜面２１１の先端部は、図４に示すように、テーパ面１４１の先端部よりも寸法Ｈ１だけ、浮いた位置に設定されている。
【００４２】
傾斜面２１２は、図６に示すように、第２のボス部１５のテーパ面１５１への乗り上げを容易にする傾斜面である。傾斜面２１２の先端部は、図６に示すように、テーパ面１５１の先端部よりも寸法Ｈ２だけ、浮いた位置に設定されている。
【００４３】
更に、本実施形態のレバー式コネクタ１００の場合、図２及び図５に示すように、レバー本体２１の外縁部２１０上の複数箇所に形成される傾斜面２１１，２１２は、タイミングをずらして順に対応するボス部１４，１５に乗り上げるように、レバー本体２１の外縁部２１０の輪郭を設定している。
【００４４】
次に、本実施形態のレバー式コネクタ１の組み立て手順を説明する。
まず、コネクタ本体１０に嵌合操作レバー２０を組み付ける。
コネクタ本体１０に嵌合操作レバー２０を組み付けるときは、最初に、図２に示すように、嵌合操作レバー２０の自由端側の引っ掛け部２５を、コネクタ本体１０の引っ掛け受け部１６に引っ掛けた後、本体連結部２２を図２の矢印Ｒ１方向に回動させて、レバー本体２１を、コネクタ本体１０の一対のレバー本体２１上に被せる。
【００４５】
図２の状態から嵌合操作レバー２０を矢印Ｒ１方向に回動させると、図４に示すように、まずレバー本体２１の外縁部２１０の傾斜面２１１が第１のボス部１４のテーパ面１４１に誘導されて、図５に示すように外縁部２１０が第１のボス部１４上に乗り上げた状態になる。そして、更に嵌合操作レバー２０を図５に矢印Ｒ２で示す方向に回動させると、図６に示すようにレバー本体２１の傾斜面２１１が第２のボス部１５のテーパ面１５１に誘導されて、外縁部２１０が第２のボス部１５にも乗り上げた状態になる。
【００４６】
そして、嵌合操作レバー２０の本体連結部２２を最大限にコネクタ本体１０側に押し込むと、図７に示すように、コネクタ本体１０の第１のボス部１４及び第２のボス部１５が、対応するボス嵌合穴２１ａ，２１ｂに嵌合して、嵌合操作レバー２０がコネクタ本体１０の一対の一対の側壁１２ａ，１２ｂに結合された状態になる。
【００４７】
図７及び図８に示したように嵌合操作レバー２０の本体連結部２２が最大限にコネクタ本体１０側に押し込まれた状態では、嵌合操作レバー２０は、本係止位置に位置している。本係止位置は、嵌合操作レバー２０の回動操作によりコネクタ本体１０と相手のコネクタとの嵌合接続が完了するときの位置である。
【００４８】
嵌合操作レバー２０のコネクタ本体１０への組み付けが完了したら、図７に示すように、嵌合操作レバー２０を本係止位置に位置させたまま、コネクタ本体１０の端子収容孔１１ａに端子金具４２を装着する。図８はコネクタ本体１０への端子金具４２の装着が完了した状態を示している。コネクタ本体１０への端子金具４２の装着が完了したら、図９に矢印Ｒ３で示すように、嵌合操作レバー２０の本体連結部２２側を引き上げるように回動させて、嵌合操作レバー２０を仮係止位置に位置させる。嵌合操作レバー２０を仮係止位置に位置させると、コネクタ本体１０に突き合される相手のコネクタが嵌合操作レバー２０に係合可能になり、嵌合操作レバー２０を矢印Ｒ３と逆方向に回動操作することで、コネクタ本体１０を相手のコネクタに嵌合接続することが可能になる。
【００４９】
以上に説明した一実施形態のレバー式コネクタ１によれば、コネクタ本体１０に嵌合操作レバー２０を組み付ける際に、例えば、引っ掛け部２５の引っ掛け受け部１６に対する挿入が浅く、そのためにコネクタ本体１０とレバー本体２１との初期の位置合わせが正規の突き合わせ位置からずれている場合でも、レバー本体２１をコネクタ本体１０の一対の側壁１２ａ，１２ｂ上に押し込むと、コネクタ本体１０上の各ボス部１４，１５に当接するレバー本体２１の外縁部２１０は、各ボス部１４，１５に備えられたテーパ面１４１，１５１によって、確実に各ボス部１４，１５に乗り上げさせることができる。
【００５０】
そして、レバー本体２１の外縁部２１０が各ボス部１４，１５に乗り上げている状態で、ずれを解消する方向に嵌合操作レバー２０を移動操作してコネクタ本体１０とレバー本体２１との初期の突き合わせ位置のずれを修正することで、レバー本体２１上のボス嵌合穴２１ａ，２１ｂの移動軌道をボス部１４，１５の位置に整合させることができ、コネクタ本体１０上の複数のボス部１４，１５とレバー本体２１上の複数のボス嵌合穴２１ａ，２１ｂとの嵌合を確実に実現することができる。
【００５１】
従って、レバー支持用の複数のボス部１４，１５が対向する一対の側壁１２ａ，１２ｂのそれぞれの外表面１２Ｆに突設されるコネクタ本体１０に対する嵌合操作レバー２０の組み付けを容易にすることができる。
【００５２】
また、以上に説明した一実施形態のレバー式コネクタ１によれば、コネクタ本体１０の一対の側壁１２ａ，１２ｂ上に嵌合操作レバー２０を組み付ける作業工程で、嵌合操作レバー２０のレバー本体２１の外縁部２１０が、コネクタ本体１０の一対の側壁１２ａ，１２ｂ上のボス部１４，１５に乗り上げる際には、レバー本体２１の外縁部２１０に形成された傾斜面２１１，２１２とボス部１４，１５に装備されたテーパ面１４１，１５１とが衝突することになり、レバー本体２１の外縁部２１０に傾斜面２１１，２１２が装備されていない場合と比較すると、レバー本体２１の外縁部２１０のボス部１４，１５への乗り上げが更に容易になる。従って、コネクタ本体１０に対する嵌合操作レバー２０の組み付けを、更に容易にすることができる。
【００５３】
また、以上に説明した一実施形態のレバー式コネクタ１によれば、コネクタ本体１０の一対の側壁１２ａ，１２ｂ上に嵌合操作レバー２０を組み付ける作業工程で、嵌合操作レバー２０のレバー本体２１の外縁部２１０上の複数箇所は、タイミングをずらしてそれぞれの対応するボス部１４，１５に乗り上げるため、レバー本体２１の外縁部２１０がボス部１４，１５に乗り上げる際に必要となる組み付け操作力が急激に増加することを防止して、組み付け操作性を向上させることができる。
【００５４】
なお、本発明のレバー式コネクタは、前述した実施形態に限定されるものでなく、適宜、変形、改良等が可能である。
【符号の説明】
【００５５】
１  レバー式コネクタ
１０  コネクタ本体
１２ａ，１２ｂ  側壁
１２Ｆ  外表面
１４  第１のボス部（ボス部）
１５  第２のボス部（ボス部）
２０  嵌合操作レバー
２１  レバー本体
２２  本体連結部
１４１，１５１  テーパ面
２１０  外縁部
２１１，２１２  傾斜面
【図１】
2013062079.tif 000003
【図２】
2013062079.tif 000004
【図３】
2013062079.tif 000005
【図４】
2013062079.tif 000006
【図５】
2013062079.tif 000007
【図６】
2013062079.tif 000008
【図７】
2013062079.tif 000009
【図８】
2013062079.tif 000010
【図９】
2013062079.tif 000011
【図１０】
2013062079.tif 000012